(57)【特許請求の範囲】
【請求項１】
建物本体の下方に床下空間を備えた建物の換気システムであって、
屋内又は屋外の空気から乾燥空気を生成する生成手段を備え、該生成手段により生成された乾燥空気を前記床下空間に供給する構成とし、
前記建物本体を構成する壁の構成体の内部に内部換気通路が設けられ、その内部換気通路が前記床下空間に連通されており、
前記内部換気通路として、建物の外壁部材の内部に上下方向に延びる壁内換気通路が形成され、その通路上端部に壁通気口が形成されており、
前記床下空間と屋外とを連通する床下通気口が設けられるとともに、その床下通気口を開閉する第１開閉手段が設けられ、
前記第１開閉手段により前記床下通気口が閉鎖された状態で、前記生成手段により生成された乾燥空気を前記床下空間に供給する構成とし、
屋内空間の温度を調整するエアコンが運転中であるか否かを判断し、エアコンが運転中である場合に、前記生成手段を作動させるコントローラを備えたことを特徴とする建物の換気システム。
【請求項２】
前記床下空間の湿度を検出する手段を備え、
前記コントローラは、前記検出した床下空間の湿度に基づいて当該床下空間に前記乾燥空気を供給させる請求項１に記載の建物の換気システム。
【請求項３】
前記コントローラは、前記検出した床下空間の湿度から前記床下空間への前記乾燥空気の供給が必要ないと判断した場合であっても、前記エアコンが運転中である場合には、前記生成手段を作動させる請求項２に記載の建物の換気システム。
【請求項４】
前記建物本体の窓際に、前記床下空間に通じる窓際通気口が設けられるとともに、その窓際通気口を開閉する第２開閉手段が設けられ、
前記第２開閉手段により前記窓際通気口が開放された状態で、前記生成手段により生成された乾燥空気を前記床下空間に供給する構成とした請求項１乃至３のいずれか１項に記載の建物の換気システム。
【請求項５】
前記窓際における湿度を検出する手段を備え、
前記コントローラは、前記検出した窓際の湿度が所定値以上である場合に、当該窓際に前記乾燥空気を供給させる請求項４に記載の建物の換気システム。
【請求項６】
前記生成手段は、前記乾燥空気に加え、屋内又は屋外の空気から湿潤空気を生成するものであり、
前記生成手段により生成された前記湿潤空気を屋内空間に供給する構成とした請求項１乃至５のいずれか１項に記載の建物の換気システム。
【請求項７】
前記生成手段は、空気中の水分を吸着することで前記乾燥空気を生成するとともに、前記吸着した水分を用いて前記湿潤空気を生成するものであり、さらに前記湿潤空気の湿度を調整可能とする請求項６に記載の建物の換気システム。
【請求項８】
前記建物本体内における複数の屋内空間を対象に各々人の存在を検出する人検出手段を備え、
前記コントローラは、前記人検出手段により人の存在が検出された屋内空間に対して前記湿潤空気を供給させる請求項６又は７に記載の建物の換気システム。
【請求項９】
大気の乾燥情報を取得する手段を備え、
前記コントローラは、前記取得された大気乾燥情報に基づいて、前記湿潤空気を前記屋内空間に供給させる請求項６乃至８のいずれか１項に記載の建物の換気システム。
【発明の詳細な説明】
【技術分野】
【０００１】
本発明は、建物の換気システムに関するものである。
【背景技術】
【０００２】
住宅等の建物においては、一般に基礎等によって囲まれた床下空間が形成されている。床下空間には、地面に接近していることなどにより湿気が溜まり易くなっていると考えられる。これに対して、例えば特許文献１では、床下空間と屋外とを連通する通気路が建物本体の床と基礎との間に形成されており、屋外の空気が通気路を通じて床下空間に導入されるようになっている。すなわち、床下空間の換気が行われるようになっており、これにより、床下空間に湿気が溜まりにくくなっている。
【特許文献１】特開２００１−１１５５６０号公報
【発明の開示】
【発明が解決しようとする課題】
【０００３】
しかしながら、床下空間と屋外とを連通する通気路によって床下空間の換気が行われる構成では、床下空間には屋外の湿気も取り込まれてしまうと考えられる。例えば、湿度が高い梅雨などの時期には、屋外から湿気が取り込まれることで床下空間の湿度も高くなってしまう。つまり、床下空間の湿度が屋外の湿度に依存し、床下空間の湿度を調整することが困難になる。
【０００４】
そこで、本発明は、床下空間の換気を好適に実施することができる建物の換気システムを提供することを目的とするものである。
【課題を解決するための手段】
【０００５】
本発明は、上記課題を解決するために、以下の手段を採用した。
【０００６】
第１の発明は、建物本体の下方に床下空間を備えた建物の換気システムであって、屋内又は屋外の空気から乾燥空気を生成する生成手段を備え、該生成手段により生成された乾燥空気を前記床下空間に供給する構成としたことを特徴とする。
【０００７】
第１の発明によれば、屋内又は屋外の空気から乾燥空気が生成され、その乾燥空気が床下空間に供給されるため、仮に床下空間に湿気が溜まっていてもその湿気を乾燥空気により換気することが可能となる。したがって、床下空間の換気を好適に実施することができる。
【０００８】
第２の発明では、前記建物本体を構成する躯体又は壁等の構成体の内部に内部換気通路が設けられ、その内部換気通路が前記床下空間に連通されている。
【０００９】
第２の発明によれば、建物本体の躯体又は壁等の構成体に設けられている内部換気通路に対し、床下空間を通じて乾燥空気を供給することが可能となる。これにより、床下空間に加えて、躯体や壁等の内部についても好適に換気できる。つまり、建物にとって良好な換気を行うことができ、躯体や壁等の保護を図ることができる。
【００１０】
第３の発明では、前記内部換気通路として、建物の外壁部材の内部に上下方向に延びる壁内換気通路が形成され、その通路上端部に壁通気口が形成されている。この場合特に、壁内換気通路は、壁面全体に広がるようにして形成されていることが望ましい。
【００１１】
第３の発明によれば、上下方向に延びる壁内換気通路に対し、床下空間を通じて乾燥空気を供給することが可能となる。これにより、壁内部が好適に換気でき、外壁部材の保護を図ることができる。また、壁内換気通路は上方に延びているため、仮に壁内部に熱がこもっていても、その熱を空気と共に壁通気口から屋外に排出することができる。
【００１２】
第４の発明では、前記床下空間と屋外とを連通する床下通気口が設けられるとともに、その床下通気口を開閉する第１開閉手段が設けられ、前記第１開閉手段により前記床下通気口が閉鎖された状態で、前記生成手段により生成された乾燥空気を前記床下空間に供給する構成としている。
【００１３】
第４の発明によれば、第１開閉手段により床下通気口が閉鎖された状態で、乾燥空気が床下空間に供給される。かかる場合、床下空間が正圧となるため、乾燥空気が床下空間から内部換気通路（壁内換気通路）に流れ込み易くなる。したがって、内部換気通路（壁内換気通路）の換気が一層好適に実施されることとなる。
【００１４】
第５の発明では、前記床下空間の湿度を検出する手段と、前記検出した床下空間の湿度に基づいて当該床下空間に前記乾燥空気を供給させる手段とを備える。
【００１５】
第５の発明によれば、床下空間の湿度に基づいてその床下空間に乾燥空気が供給されるため、床下空間に湿気がある場合など、必要時にのみ乾燥空気を供給することが可能となる。したがって、本換気システムを効率良く稼動させることができる。
【００１６】
乾燥空気を、屋内空間に供給することも可能である。すなわち、第６の発明では、前記建物本体の窓付近、又は建物内の除湿対象空間に、前記床下空間に通じる空気通路部が設けられるとともに、その空気通路部を開閉する第２開閉手段が設けられ、前記第２開閉手段により前記空気通路部が開放された状態で、前記生成手段により生成された乾燥空気を前記床下空間に供給する構成としている。
【００１７】
第６の発明によれば、建物本体の窓付近に対して、床下空間から乾燥空気が供給されるため、窓ガラスの結露等を抑制することができる。また、建物内の除湿対象空間に対して、床下空間から乾燥空気が供給されるため、湿気が溜まりやすい空間、場所であっても速やかに乾燥させることが可能となる。例えば、浴室を除湿対象空間とすれば、入浴後において浴室をいち早く乾燥させることができる。
【００１８】
なお、浴室を除湿対象空間とする場合、浴室が使用されていないことを条件に、当該浴室内に乾燥空気が供給されるとよい。
【００１９】
第７の発明では、前記窓付近又は除湿対象空間における湿度を検出する手段と、前記検出した窓付近又は除湿対象空間の湿度が所定値以上である場合に、当該窓付近又は除湿対象空間に前記乾燥空気を供給させる手段とを備える。
【００２０】
第７の発明によれば、窓付近又は除湿対象空間の湿度が所定値以上であることを条件に、窓付近又は除湿対象空間に乾燥空気が供給されるため、窓付近又は除湿対象空間に湿気がある場合など、必要時にのみ乾燥空気を供給することが可能となる。したがって、本換気システムを効率良く稼動させることができる。
【００２１】
第８の発明では、前記生成手段は、前記乾燥空気に加え、屋内又は屋外の空気から湿潤空気を生成するものであり、前記生成手段により生成された前記湿潤空気を屋内空間に供給する構成としている。
【００２２】
第８の発明によれば、湿潤空気が屋内空間に供給されるため、屋内空間に適度な湿気を与えることが可能となる。したがって、屋内空間が乾燥している場合に、その屋内空間を人にとって好適な湿度に調整することができる。
【００２３】
第９の発明では、前記生成手段は、空気中の水分を吸着することで前記乾燥空気を生成するとともに、前記吸着した水分を用いて前記湿潤空気を生成するものであり、さらに前記湿潤空気の湿度を調整可能とする。
【００２４】
第９の発明によれば、乾燥空気を生成する際に生じる水分を利用して湿潤空気を生成することが可能となり、さらに屋内空間の湿度を適宜調整することが可能となる。
【００２５】
第１０の発明では、前記建物本体内における複数の屋内空間を対象に各々人の存在を検出する人検出手段と、前記人検出手段により人の存在が検出された屋内空間に対して前記湿潤空気を供給させる手段とを備える。
【００２６】
第１０の発明によれば、人が存在している屋内空間を対象として、その空間に湿潤空気が供給される。ここで、人にとって都合の良い湿度は、建物にとって都合の良い湿度より高いと考えられる。この点、本発明では、人が居る居室では人にとって都合の良い湿度に調整しつつ、人が居ない居室においては建物にとって都合の良い湿度を保持することができる。
【００２７】
第１１の発明では、大気の乾燥情報を取得する手段と、前記取得された大気乾燥情報に基づいて、前記湿潤空気を前記屋内空間に供給させる手段とを備える。
【００２８】
第１１の発明によれば、大気乾燥情報に基づいて湿潤空気が屋内空間に供給されるため、実際の乾燥状況に合わせて人が居る居室の湿度をきめ細かく調整することが可能となる。例えば、大気が乾燥している場合には屋内空間に適度な湿度を与えることができる。
【発明を実施するための最良の形態】
【００２９】
以下、本発明を具体化した一実施形態を図面に基づいて説明する。図１は建物の概略断面を示す図である。
【００３０】
図１に示すように、住宅等の建物１０は、基礎１１と、その基礎１１上に設置された建物本体１２とを有している。建物本体１２は、周囲が外壁部２１で囲まれている屋内空間２２と、天井材２５により屋内空間２２に対して区画されている天井裏空間２６とを有している。また、床材２３の下方には、基礎１１の立ち上げ部分に囲まれてなる床下空間２４が形成されている。基礎１１の上面と建物本体１２との間には、基礎１１の延設方向に沿って建物１０の略全周にわたり床下換気通路３２が形成されており、この床下換気通路３２を通じて床下空間２４と屋外との間で通気（空気の出入り）が行われるようになっている。このような、いわゆる床下全周換気によれば、床下空間２４のほぼ全体において横方向への空気の流れが作り出されるため、床下空間２４における自然換気が効率良く行われる。
【００３１】
外壁部２１の内部には上下方向に延びる壁内空間２８が形成されており、その壁内空間２８は、壁下端部で床下換気通路３２に通じているとともに、壁上端部で壁通気口３３にて屋外に通じている。つまり、壁通気口３３を通じて壁内空間２８と屋外との間で通気（空気の出入り）が行われるようになっており、壁内空間２８は壁内換気通路としての役割なしている。なお、壁通気口３３は、外壁部２１の上部において、例えば直径１０ｃｍ程度の大きさで複数箇所に設けられている。
【００３２】
また、外壁部２１の一部には窓開口３５が形成されており、その窓開口３５には窓サッシ３６が取り付けられている。窓開口３５の下方には、床材２３の一部又はその近傍に窓下通気口３７が設けられており、その窓下通気口３７を通じて、床下空間２４の空気が窓下部分に供給されるようになっている。窓下通気口３７は、要は窓サッシ３６に対して結露防止用の空気を供給する開口部であればよく、窓際に設置される窓際通気口であればよい。
【００３３】
ここで、床下部分及び壁部分の具体的な構成について図２を参照しつつ説明する。図２は、床下部分及び壁部分の一部を破断して示す縦断面図である。
【００３４】
図２に示すように、基礎１１の上方には床梁５１が設けられている。床梁５１は、断面コ字状の鋼鉄製長尺材により構成されており、その開放側を床下空間２４に向けて基礎１１に沿って延びている。床梁５１は、同床梁５１と基礎１１との間に設置された梁下スペーサ５２により基礎１１の上面から離間して設けられている。梁下スペーサ５２はゴム製又は金属製の板材よりなり、複数の梁下スペーサ５２が所定の間隔で設置されることで基礎１１と床梁５１との間に建物１０の略全周にわたり隙間が形成され、その隙間が床下換気通路３２となっている。床梁５１上には、その床梁５１に沿って延びる床下地材５４が設けられており、その床下地材５４は床材２３を下方から支えている。
【００３５】
床梁５１には外壁パネル６１が取り付け固定されている。外壁パネル６１は、外壁材６２とその裏面側に取り付けられた外壁フレーム６３とよりなり、外壁フレーム６３が床梁５１に固定されることで、床梁５１に外壁パネル６１が取り付けられている。また、外壁パネル６１の屋内側には断熱材６４と内壁材６５とが取り付けられている。ここで、外壁フレーム６３は、それぞれ軽量鉄骨材（溝形鋼）よりなる複数の縦フレーム材と横フレーム材とを縦横に結合することで矩形枠状に形成されるものであり、特に縦フレーム材と横フレーム材との結合部分では、上下方向に通気が可能となるようにして（壁内空間２８が上下方向に連通するようにして）隙間が形成されている。すなわち、外壁パネル６１の横断面図である図３に示すように、横フレーム材６３ｂの端部が縦フレーム材６３ａのウエブから離間するようにして縦フレーム材６３ａに横フレーム材６３ｂが結合されており、それにより形成される隙間６７によって、壁内空間２８が上下方向に連通する構成となっている。なお、壁内空間２８を上下方向に連通させる構成としては、外壁フレーム６３の横フレーム材６３ｂに通気孔を設けるなど、他の構成を採用することも可能である。
【００３６】
また、外壁パネル６１において、外壁フレーム６３の下端部は外壁材６２よりも下方に一部がはみ出しており、そのはみ出し部分に水切金具６８が設けられている。水切金具６８は、外壁材６２の下端部よりも下方に垂れ下がった状態で、かつ基礎１１から離間した状態で取り付けられている。これにより、基礎１１と水切金具６８との間に屋外連通路６９が形成され、その屋外連通路６９を通じて、床下空間２４や壁内空間２８と屋外との間での空気の出入りが可能となっている。屋外連通路６９は、床下換気通路３２に対して直列に配置されており、床下換気通路３２と共に、床下空間２４の換気を行うための床下通気口となっている。なお、水切金具６８には、鼠等の小動物の床下空間２４への侵入を防ぐための鼠返し板が設けられるが、図示を省略している。
【００３７】
水切金具６８には、基礎１１と水切金具６８との間の屋外連通路６９を開閉するための開閉板７１（第１開閉手段）が設けられている。開閉板７１は、水切金具６８の長手方向と同方向に延びる長尺板状をなし、その上端部が水切金具６８に回動可能に軸支されている。開閉板７１により屋外連通路６９が開放状態（図示の状態）となることで、屋外と床下空間２４及び壁内空間２８との間が連通され、屋外連通路６９が閉鎖状態となることで、屋外と床下空間２４及び壁内空間２８との間が遮断される。
【００３８】
開閉板７１には、駆動することでその開閉板７１を回動させる駆動部（図示略）が設けられており、その駆動部が駆動することで屋外連通路６９が開閉される。
【００３９】
また、図１における窓下通気口３７を形成するための構成として、床材２３と、断熱材６４及び内壁材６５の下端部との間には室内連通路７３が形成されており、この室内連通路７３の室内側開口部が図１の窓下通気口３７となっている。この場合、例えば内壁材６５の一部が矩形状に切除されることで、窓下通気口３７が形成されている。室内連通路７３（窓下通気口３７）は、窓開口３５（図１参照）に対応する位置にて、水平方向に連続した状態、又は水平方向に複数に分断された状態で設けられている。また、内壁材６５の下端部において床面との境界部付近には巾木７４が設けられている。
【００４０】
特に本実施形態では、巾木７４の一部、すなわち窓下通気口３７に対応する部位の巾木７４が可動巾木（第２開閉手段）となっており、その巾木７４の可動部分が作動することで、室内連通路７３（窓下通気口３７）が開放又は閉鎖される。具体的には、巾木７４の可動部分は、その下端部が同巾木７４の固定部分（又は内壁材６５）に軸支されており、その軸支部分を中心として当該可動部分が回動することで、室内連通路７３（窓下通気口３７）が開閉される。巾木７４の可動部分が下端部にて軸支されていることで、図に仮想線で示す巾木開放状態では、窓下通気口３７から上方への、すなわち窓サッシ３６に向かう方向への空気流を生じさせることが可能となる。
【００４１】
室内連通路７３は壁内空間２８に連通しており、巾木７４（巾木可動部分）が開状態になることで、壁内空間２８を流れる空気（同空間２８内の上昇空気）が窓下通気口３７を介して屋内空間２２に供給されるようになっている。
【００４２】
巾木７４には、駆動することでその巾木７４を回動させる駆動部（図示略）が設けられており、その駆動部が駆動することで室内連通路７３が開閉される。
【００４３】
図１の説明に戻り、建物１０の天井裏空間２６には、屋内又は屋外から取り込んだ空気から乾燥空気と湿潤空気とを生成するとともに、その乾燥空気と湿潤空気とをそれぞれ屋内空間２２、床下空間２４、壁内空間２８等に振り分けて供給する湿度調整装置４１が設けられている。湿度調整装置４１には、屋外から空気を取り込むための屋外取込管４２と、屋内空間２２から空気を取り込むための屋内取込管４３と、屋内空間２２に空気を供給するための屋内供給管４４と、床下空間２４に空気を供給するための床下供給管４５とが接続されている。湿度調整装置４１は、屋外取込管４２や屋内取込管４３を通じて屋外や屋内空間２２から空気を取り込むとともに、屋内供給管４４や床下供給管４５を通じて屋内空間２２や床下空間２４に空気を供給する。床下供給管４５は、通気ダクト等により構成されており、柱や壁に沿って又はそれらの内部に上下方向に延びるように設けられている。
【００４４】
次いで、湿度調整装置４１及び同装置を用いた湿度調整制御に関する構成について、図４を参照しつつ説明する。
【００４５】
図４に示すように、湿度調整装置４１は、内部にシリカゲル等の吸着剤が収容され、空気中の水分を吸着する吸着ドラム（吸着容器）８１を備えている。この吸着ドラム８１では、空気の流れ方向において前後２箇所に網状の蓋体が設けられており、２つの蓋体に挟まれるようにして吸着剤が収容されている。吸着ドラム８１は、例えば所定の厚みを有する円板状をなし、その中心軸を軸心として回転可能となっている。なお、この構成はいわゆるデシカントロータに相当する。湿度調整装置４１では、空気（装置外部からの導入空気）が吸着ドラム８１を通過することで、空気中の水分が吸着されて除湿が行われる。つまり、乾燥空気が生成されることとなる。吸着ドラム８１にて吸着された水分は、当該吸着ドラム８１にて吸着状態で保管される。
【００４６】
また、除湿後の空気は、湿度調整装置４１内の空気通路８２に送り込まれ、その空気通路８２上に設けられている電気ヒータ８３にて加熱された後、吸着ドラム８１に戻される。このとき、電気ヒータ８３による加熱空気が吸着ドラム８１を通過することで、吸着ドラム８１に吸着されていた水分が蒸発して加湿が行われる。つまり、湿潤空気が生成されることとなる。
【００４７】
なお、湿潤空気が生成される場合、電気ヒータ８３による空気の加熱の程度を調整することで湿潤空気の湿度が調整されるようになっている。また、電気ヒータ８３には、除湿後の空気でなく、屋外取込管４２や屋内取込管４３から取り込まれた屋内や屋外の空気が直接供給されてもよい。さらに、図示は省略するが、湿度調整装置４１は、空気を冷却する冷却手段としてペルチェ冷却機を備えており、加熱することで生成された湿潤空気を冷却することが可能となっている。
【００４８】
空気通路８２には開閉弁８４が設けられており、この開閉弁８４を開状態とすることで、除湿後の空気が電気ヒータ８３に供給されて湿潤空気の生成が行われる。言い換えれば、開閉弁８４を閉状態とすることで、除湿後の空気が電気ヒータ８３に供給されず湿潤空気が生成されないようになる。
【００４９】
上記のとおり、湿度調整装置４１では、空気が吸着ドラム８１を通過することにより乾燥空気と湿潤空気とがそれぞれ生成される。つまり、本実施形態では、吸着ドラム８１が、乾燥空気を生成する乾燥空気生成手段と、湿潤空気を生成する湿潤空気生成手段とを構成するものとなっている。
【００５０】
また、湿度調整装置４１には、乾燥空気を送出するための送風ファン８６と、湿潤空気を送出するための送風ファン８７とが設けられている。
【００５１】
湿度調整装置４１には、屋外取込管４２及び屋内取込管４３（共に図１参照）が接続されており（共に図１参照）、これらの配管を通じて屋外又は屋内空間２２から空気が順次取り込まれる。屋外取込管４２と屋内取込管４３とには、その配管の途中に開閉弁９１，９２がそれぞれ設けられており、開閉弁９１，９２が開状態である場合に屋外又は屋内空間２２から空気が順次取り込まれるようになっている。
【００５２】
また、湿度調整装置４１の乾燥空気送出口には床下供給管４５（図１参照）が接続されており、この床下供給管４５を通じて床下空間２４に乾燥空気が供給される。床下供給管４５には、その配管の途中に開閉弁９４が設けられており、開閉弁９４が開状態である場合に床下空間２４に乾燥空気が供給されるようになっている。床下空間２４は、壁内空間２８に通じており、床下空間２４に供給された乾燥空気は壁内空間２８から屋外に排出される。また、床下空間２４の下流側には、開閉弁の役割を果たす開閉板７１及び可動巾木７４が配置されており、開閉板７１が開放状態にある場合に屋外連通路６９（図２参照）を介して屋外への排気が行われ、可動巾木７４が開放状態にある場合に室内連通路７３（図２参照）を介して窓サッシ３６周辺の窓際空間に乾燥空気が供給されるようになっている。
【００５３】
さらに、湿度調整装置４１の乾燥空気送出口には、建物１０内の浴室９９に通じる浴室供給管４７も接続されており、この浴室供給管４７を通じて浴室９９に乾燥空気が供給される。浴室供給管４７の途中には開閉弁９５が設けられており、開閉弁９５が開状態である場合に浴室９９に乾燥空気が給送されるようになっている。
【００５４】
また、湿度調整装置４１の湿潤空気送出口には複数の屋内供給管４４（図１参照）が接続されており、各屋内供給管４４を通じて、ダイニング、リビング、寝室等の各居室に湿潤空気が供給される。各屋内供給管４４の途中にはそれぞれ開閉弁９７が設けられており、開閉弁９７が開状態である場合に各居室に湿潤空気が給送されるようになっている。
【００５５】
次に、建物１０における電気設備に関して説明する。
【００５６】
湿度調整装置４１には、建物１０に設置されているコントローラ１１１が接続されている。コントローラ１１１は、ＣＰＵや各種メモリ等からなるマイクロコンピュータを有しており、そのマイクロコンピュータにより指令信号が生成及び出力されることで建物１０の湿度調整制御が行われる。例えば、コントローラ１１１から湿度調整装置４１に対して指令信号が出力されることで、湿度調整装置４１は、乾燥空気や湿潤空気を選択的に供給する。コントローラ１１１には、開閉弁９１，９２，９４，９５，９７が接続されているとともに、開閉板７１の駆動部及び可動巾木７４の駆動部が接続されており、コントローラ１１１は、指令信号を出力することで各開閉弁又は駆動部の開閉動作を制御し、乾燥空気や湿潤空気の供給場所を選択する。
【００５７】
また、コントローラ１１１には、各居室を対象に各々人の存在を感知する居室人感センサ１２１と、浴室９９において人を感知する浴室人感センサ１２２と、屋内空間２２の湿度を検出する屋内湿度センサ１２３と、床下空間２４の湿度を検出する床下湿度センサ１２４と、窓サッシ３６周辺の湿度を検出する窓際湿度センサ１２５とが接続されている。各センサ１２１〜１２５は、コントローラ１１１に対して検出信号を出力する。
【００５８】
さらに、コントローラ１１１には、屋内空間２２の温度を調整するエアコン１２６が接続されており、エアコン１２６は、現在の運転状態を示す旨の検出信号をコントローラ１１１に対して出力する。これにより、コントローラ１１１では、エアコン１２６の運転や停止に関する情報が取得される。
【００５９】
続いて、コントローラ１１１において実行される建物１０の湿度制御処理について、図５のフローチャートを参照しつつ説明する。
【００６０】
図５において、ステップＳ１０１〜Ｓ１０７では、床下空間２４への乾燥空気供給処理を行い、ステップＳ１０８，Ｓ１０９では、浴室９９への乾燥空気供給処理を行う。また、ステップＳ１１０，Ｓ１１１では、居室への湿潤空気供給処理を行う。
【００６１】
床下空間２４への乾燥空気供給処理において、ステップＳ１０１では、床下空間２４への乾燥空気供給が必要であるか否かを判定する。例えば、床下湿度センサ１２４から入力された検出信号に基づいて床下空間２４の湿度を取得し、その湿度が所定湿度より大きいか否かを判定する。また、窓サッシ３６周辺（窓際空間）に乾燥空気を供給させる際には、その乾燥空気は床下空間２４を経由する構成となっているため、窓際湿度センサ１２５から入力された検出信号に基づいて窓サッシ３６周辺での湿度を取得し、その湿度が所定湿度より大きいか否かを判定する。ここで、建物１０にとっては０％〜４０％の湿度が適切であるとされているため、上記の各所定湿度を例えば５０％に設定する。
【００６２】
床下空間２４への乾燥空気供給が必要でない場合、すなわち床下空間２４及び窓サッシ３６周辺の湿度がそれぞれ所定湿度より小さい場合、ステップＳ１０２に進み、エアコン１２６が運転中であるか否かを判定する。エアコン１２６が運転中でない場合、ステップＳ１０３にて、開閉板７１の駆動部に指令信号を出力して屋外連通路６９を開放させる。
【００６３】
これに対して、床下空間２４への乾燥空気供給が必要である場合、すなわち床下空間２４及び窓サッシ３６周辺の少なくとも一方の湿度が所定湿度以上である場合（ステップＳ１０１がＹＥＳ判定の場合）、又はエアコン１２６が運転中である場合（ステップＳ１０２がＹＥＳ判定の場合）、ステップＳ１０４にて、開閉板７１の駆動部に指令信号を出力して屋外連通路６９を閉鎖させ、ステップＳ１０５にて、湿度調整装置４１及び床下空間２４用の開閉弁９４に指令信号を出力して床下空間２４に乾燥空気を供給させる。
【００６４】
この場合、床下空間２４は、乾燥空気が供給されることで正圧となり、それに伴って壁内空間２８に乾燥空気が流れ込み易くなる。これにより、それまで床下空間２４や壁内空間２８に存在していた空気が壁通気口３３から屋外に排出されることを促進できる。したがって、床下空間２４や壁内空間２８に湿気が溜まっている場合には、その湿気が空気と共に屋外に排出され、壁内空間２８（換言すれば外壁部２１）に熱がこもっている場合には、その熱が空気と共に屋外に排出される。故に、床下空間２４や壁内空間２８が建物１０にとって都合の良い湿度に調整されるとともに、屋内空間２２が人にとって都合の良い温度に調整される。
【００６５】
ステップＳ１０６では、窓サッシ３６周辺への乾燥空気供給が必要であるか否かを判定する。例えば、ステップＳ１０１と同様に、窓際湿度センサ１２５から入力された検出信号に基づいて窓サッシ３６周辺の湿度を取得し、その湿度が所定湿度より大きいか否かを判定する。窓サッシ３６周辺への乾燥空気供給が必要である場合、すなわち窓サッシ３６周辺の湿度が所定湿度より大きい場合、ステップＳ１０７にて、可動巾木７４の駆動部に指令信号を出力して室内連通路７３を開放させる。この場合、室内連通路７３からは乾燥空気が放出され、その乾燥空気は窓サッシ３６周辺に供給される。これにより、窓サッシ３６周辺において除湿が行われ、窓際空間が建物１０にとって都合の良い湿度に調整される。すなわち、窓ガラスの結露を抑制することができる。一方、窓サッシ３６周辺への乾燥空気供給が必要でない場合、室内連通路７３を開放させない。
【００６６】
なお、エアコン１２６が運転中である場合、屋外と屋内空間２２との間に温度差が生じるため、屋内空間２２、床下空間２４や壁内空間２８に結露が生じ易くなる。したがって、エアコン１２６の運転中であっても床下空間２４や窓サッシ３６周辺に乾燥空気が供給されることで、窓サッシ３６周辺、床下空間２４や壁内空間２８において結露の発生が抑制される。
【００６７】
浴室９９への乾燥空気供給処理では、ステップＳ１０８にて、浴室９９への乾燥空気供給が必要であるか否かを判定する。例えば、浴室人感センサ１２２から入力された検出信号に基づいて、浴室９９が使用中であるか否かを判定する。浴室９９への乾燥空気供給が必要である場合、すなわち浴室９９が未使用又は使用後である場合、ステップＳ１０９に進み、浴室９９用の開閉弁９５に指令信号を出力して浴室９９に乾燥空気を供給させる。これにより、除湿対象空間としての浴室９９で除湿が行われ、入浴後の浴室９９をいち早く乾燥させることができる。一方、浴室９９への乾燥空気供給が必要でない場合、浴室９９への乾燥空気供給処理をそのまま終了する。これにより、浴室９９の使用中にその浴室９９内に乾燥空気が供給されないため、ユーザは適度な湿度が保たれている状態の浴室を使用することができる。
【００６８】
居室への湿潤空気供給処理では、ステップＳ１１０にて、居室への湿潤空気供給が必要であるか否かを判定する。例えば、屋内湿度センサ１２３から入力された検出信号に基づいて居室の湿度を取得し、その湿度が所定湿度より小さいか否かを判定する。ここで、人にとっては４０％〜６０％の湿度が適切であるとされているため、上記所定湿度を例えば３０％に設定する。さらに、居室の湿度が所定湿度より小さい場合には、居室人感センサ１２１から入力された検出信号に基づいて居室に人が居るか否かを判定する。
【００６９】
居室への湿潤空気供給が必要である場合、すなわち、居室の湿度が所定湿度より小さく且つその居室に人が居る場合、ステップＳ１１１に進み、居室用の開閉弁９７に指令信号を出力して居室に湿潤空気を供給させる。これにより、居室が乾燥している場合に、その居室空間を人にとって都合の良い湿度に調整することができる。この場合、人が居る居室に限って湿潤空気が供給されるため、湿度調整装置４１を効率良く稼動させることができる。さらに、この場合、人が居ない居室では、湿度を高めずに建物１０にとって都合の良い湿度を保つことができる。
【００７０】
ここで、湿度調整装置４１から床下空間２４に乾燥空気が供給された場合における乾燥空気の流れについて、図６を参照しつつ説明する。
【００７１】
図６（ａ）に示すように、開閉板７１により屋外連通路６９が開放されている場合、床下空間２４の通気が床下換気通路３２及び屋外連通路６９を介して行われる。この場合、床下空間２４と屋外空間との間で横方向への空気の流れが生じ易くなり、床下空間２４の自然換気が促される。また、床下空間２４は壁内空間２８と通じているため、床下空間２４と壁内空間２８との間で空気の入れ替えが行われる。さらに、壁内空間２８は屋外連通路６９及び壁通気口３３（図１参照）を介して屋外空間と通じているため、壁内空間２８の自然換気が促される。なお、図に示すように、可動巾木７４により室内連通路７３が閉鎖されている場合、屋内空間２２ではその気密性が保たれるようになっている。
【００７２】
図６（ｂ）に示すように、開閉板７１により屋外連通路６９が閉鎖されている場合、屋外連通路６９を介した床下空間２４の通気が行われない。この場合、床下空間２４では自然換気が行われにくくなるが、湿度調整装置４１から床下空間２４に乾燥空気が供給されると、その乾燥空気が床下空間２４及び壁内空間２８を通じて壁通気口３３から屋外に排出され、乾燥空気により床下空間２４及び壁内空間２８の換気が行われる。また、この場合、可動巾木７４により室内連通路７３が開放されると、床下空間２４に供給された乾燥空気が壁内空間２８から屋内空間２２に流れ出て、乾燥空気により窓サッシ３６周辺の換気が行われる。
【００７３】
以上詳述した本実施形態によれば、以下の優れた効果が得られる。
【００７４】
湿度調整装置４１により乾燥空気が生成され、その乾燥空気が床下空間２４に供給される。このため、仮に床下空間２４に湿気が溜まっていてもその湿気を空気と共に屋外に排出することができ、床下空間２４を建物１０にとって適度な湿度に調整することができる。すなわち、床下空間の換気を好適に行うことができる。
【００７５】
乾燥空気が床下空間２４を介して壁内空間２８に供給されるため、外壁部２１の内部を好適に換気することができる。これにより、外壁部２１の保護を図ることができる。また、壁内空間２８は、上下方向に延びており且つ壁上端部に壁通気口３３を有しているため、仮に熱がこもっていてもその熱は空気と共に屋外に排出される。これは、熱を帯びた空気は上昇して壁内空間２８の上部に集まり易いためである。これにより、外壁部２１の内部に熱がこもることを抑制でき、ひいては建物１０に熱がこもることを抑制できる。その結果、屋内空間２２を人にとって好適な温度に保つことが可能となる。
【００７６】
開閉板７１により屋外連通路６９が閉鎖された状態で床下空間２４に乾燥空気が供給される構成としたため、床下空間２４が正圧となり、乾燥空気が床下空間２４から壁内空間２８に流れ込み易くなる。したがって、壁内空間２８の換気をより一層好適に実施させることができる。ここで、屋外連通路６９（床下換気通路３２）は外壁部２１における壁下端部に形成されているため、屋外空間の地面付近に存在している湿気が屋外連通路６９を介して床下空間２４に入り込む可能性があるが、屋外連通路６９が閉鎖されることで屋外の湿気が屋外連通路６９から床下空間２４に入り込まないようにすることができる。したがって、この状態で床下空間２４に乾燥空気を供給することで、床下空間２４及び壁内空間２８への乾燥空気の供給を効率良く行うことができる。
【００７７】
乾燥空気の供給が必要な場合に限って、床下空間２４に乾燥空気が供給される構成としたため、湿度調整装置４１による湿度調整を効率良く行うことができる。すなわち、湿度調整装置４１を効率良く稼動させることができる。
【００７８】
湿度調整装置４１には屋外又は屋内空間２２の空気が取り込まれるため、床下空間２４の空気が取り込まれる構成に比べて、乾燥空気を生成する際に吸着ドラム８１に吸着される水分が少なくなる。したがって、乾燥空気を容易に生成することができる。
【００７９】
湿度調整装置４１では、吸着ドラム８１に吸着されていた水分を空気に戻すことで湿潤空気が生成されるため、乾燥空気と湿潤空気とを個別に生成することが可能となる。すなわち、乾燥空気を生成するタイミングと湿潤空気を生成するタイミングとの間にタイムラグを設定することが可能となる。したがって、建物１０において、乾燥空気や湿潤空気を必要な場所に必要なタイミングで供給することができ、床下空間２４や屋内空間２２等の湿度調整をきめ細かく行うことが可能となる。
【００８０】
エアコン１２６が運転されている場合に、乾燥空気が床下空間２４に供給されるため、床下空間２４や窓サッシ３６周辺における結露の発生を抑制できる。特に、建物１０に基礎断熱が施されている構成では、基礎１１における床下空間２４側に断熱材等が取り付けられているため、エアコン１２６の運転時に床下空間２４や屋内空間２２の温度が屋外空間の温度と大きく異なることがある。この場合、床下空間２４や屋内空間２２に結露が発生し易くなるが、乾燥空気が床下空間２４や屋内空間２２に供給されるため、結露の発生を抑制することができる。
【００８１】
（他の実施形態）
本発明は上記実施形態の記載内容に限定されず、例えば次のように実施されてもよい。
【００８２】
・上記実施形態では、湿度調整装置４１から床下空間２４に空気が供給される場合、屋外連通路６９が開閉板７１により閉鎖されているが、屋外連通路６９は開放されていてもよい。この場合、床下空間２４に供給された乾燥空気は、壁通気口３３からではなく屋外連通路６９から排出され易くなる。また、床下空間２４と壁内空間２８とを遮断可能な遮断部が設けられ、床下空間２４に空気が供給される場合に、床下空間２４と壁内空間２８とが遮断部により遮断される構成としてもよい。
【００８３】
・上記実施形態では、床下換気通路３２が基礎１１と床梁５１との間に設けられているが、床下換気通路３２は基礎１１に形成されている貫通孔であってもよく、床梁５１に形成されている貫通孔であってもよい。要は、床下換気通路３２及び屋外連通路６９により、床下空間２４と屋外空間とが連通されていればよい。
【００８４】
・上記実施形態では、屋外との間で通気が行われる壁内空間２８が壁内換気通路として外壁部２１の内部に設けられているが、屋外との間で通気が行われる空間は、建物１０を構成する柱や梁等の躯体の内部に設けられていてもよい。この場合、屋外との間で通気が行われる空間は内部換気通路となる。したがって、湿度調整装置４１から床下空間２４を介して内部換気通路に乾燥空気が供給されると、その乾燥空気により構成体の内部が換気されるため、構成体の内部に熱や湿気がこもることを抑制できる。つまり、建物１０にとって適正な換気を行うことができ、外壁部２１や躯体等の構成体の保護を図ることができる。
【００８５】
・壁内空間２８が天井裏空間２６に通じている構成としてもよい。この場合、床下空間２４に空気が供給されることで、天井裏空間２６にも空気が供給される。したがって、天井裏空間２６の湿度を好適に調整することができる。
【００８６】
・上記実施形態では、屋内湿度センサ１２３の検出結果に基づいて居室の湿度調整が行われる構成としたが、インターネットから取得した気象情報に基づいて居室の湿度調整が行われる構成としてもよい。例えば、コントローラ１１１にパーソナルコンピュータを介してインターネットが接続されている構成とする。この場合、コントローラ１１１は、大気乾燥情報を取得し、その大気乾燥情報に基づいて湿潤空気を居室に供給することができる。これにより、大気が乾燥している場合には居室空間に適度な湿度を与えることができ、ひいては、居室空間を人にとって快適な湿度に調整することが可能となる。
【００８７】
・建物１０が多層階を有し、上下階の間に階間空間が形成されていてもよい。この場合、その階間空間に湿度調整装置４１から空気が供給される構成とすれば、階間空間の湿度を好適に調整することができる。
【００８８】
・上記実施形態では、浴室９９を、乾燥空気が供給されることで除湿が行われる除湿対象空間としたが、湿気が高くなり易い他の空間を除湿対象空間としてもよい。例えば、納戸やクローゼットなどを除湿対象空間とし、それら納戸やクローゼットなどに乾燥空気が供給される構成とする。
【００８９】
・上記実施形態では、湿度調整装置４１において、吸着ドラム８１で除湿した空気を過熱した後に吸着ドラム８１を通過させることで湿潤空気が生成されるが、吸着ドラム８１に吸着されている水分を過熱することで湿潤空気が生成されてもよい。
【００９０】
・上記実施形態では、湿度調整装置４１が天井裏空間２６に設置されているが、湿度調整装置４１は床下空間２４に設置されていてもよく、屋内空間２２に設置されていてもよい。要は、湿度調整装置４１から床下空間２４に乾燥空気が供給される構成であればよい。
【図面の簡単な説明】
【００９１】
【図１】本実施形態における建物の概略断面を示す図。
【図２】外壁から基礎にかけての構成を示す縦断面図。
【図３】外壁部の構成を示す横断面図。
【図４】建物における空調及び電気に関する構成を示すブロック図。
【図５】コントローラにおいて実行される建物の湿度制御処理を示すフローチャート。
【図６】床下空間及び壁内空間における空気の流れについて説明するための図。
【符号の説明】
【００９２】
１０…建物、１１…基礎、１２…建物本体、２１…外壁部（外壁部材）、２４…床下空間、２８…壁内空間（壁内換気通路、内部換気通路）、３２…床下換気通路、３３…壁通気口、３５…窓開口、３６…窓サッシ、３７…窓下通気口（空気通路部）、４１…湿度調整装置（生成手段）、６９…屋外連通路（床下通気口）、７１…開閉板（第１開閉手段）、７３…室内連通路（空気通路部）、７４…可動巾木（第２開閉手段）、８１…吸着ドラム、８３…電気ヒータ、８６…送風ファン、８７…送風ファン、９９…浴室、１１１…コントローラ、１２１…居室人感センサ、１２２…浴室人感センサ、１２３…屋内湿度センサ、１２４…床下湿度センサ、１２５…窓際湿度センサ。
【図１】
0004995746.tif 000002
【図２】
0004995746.tif 000003
【図３】
0004995746.tif 000004
【図４】
0004995746.tif 000005
【図５】
0004995746.tif 000006
【図６】
0004995746.tif 000007